(57)【要約】  第１の機能を制御するものとして、及び追加機能を制御するスイッチ用の一体化シュラウドとして踏み板を備える多機能フットコントローラ。
2021533850.tif 000002
【特許請求の範囲】
【請求項１】
基部と
前記基部と回転可能に結合された一対のサイドサポートを有する踏み板であって、前記一対のサイドサポートはギャップによって分離され、前記踏み板は前記踏み板の遠位端で前記一対のサイドサポートと結合されたペダル表面をさらに有し、前記一対のサイドサポート間の前記ギャップは前記ペダル表面の底面に上向きの回転式の持ち上げを提供するための物体を収容する、踏み板と、
前記基部に対する前記踏み板の角度位置を決定し、前記角度位置を前記ペダル表面の角度位置を表す第１の信号に変換するように構成された制御アセンブリと、
押し下げると追加の信号を発するように構成されたスイッチであって、前記基部の遠位端に配置され、前記基部に対する前記ペダル表面の標準角度位置で前記ペダル表面によって少なくとも部分的に覆われ、前記基部の前記遠位端から離れる方に前記ペダル表面を上向きに回転式に持ち上げると少なくとも部分的に露出されるスイッチと
を含むフットコントローラ。
【請求項２】
前記ペダル表面の下側が、前記基部の前記遠位端に向かって前記ペダル表面を下向きに回転式に押し下げた後に前記スイッチが少なくとも部分的に収容されるように配置された凹部を含む、請求項１に記載のフットコントローラ。
【請求項３】
前記スイッチ及び前記ペダル表面は、前記基部の前記遠位端に向かって前記ペダル表面を最大限下向きに回転式に押し下げた際に前記スイッチが作動されないように配置されている、請求項１に記載のフットコントローラ。
【請求項４】
前記基部及び前記踏み板に結合されたばねアセンブリをさらに含み、前記ばねアセンブリは、前記踏み板の前記ペダル表面を前記基部に対して前記標準角度位置に配置するように構成され、且つ前記踏み板を下向きに回転式に押し下げることによって前記ペダル表面にトルクを加えることで圧縮するように構成されている、請求項１に記載のフットコントローラ。
【請求項５】
前記フットコントローラが外科手術用コンソールと通信可能に結合され、前記ペダル表面の角度位置を表す前記第１の信号が、前記外科手術用コンソールと結合された外科手術用器具を制御するために使用される、請求項１に記載のフットコントローラ。
【請求項６】
前記フットコントローラが治療用レーザーモジュールと通信可能に結合され、前記追加の信号が、前記治療用レーザーモジュールからの１種又は複数種のレーザーの放出を制御するために使用される、請求項１に記載のフットコントローラ。
【請求項７】
前記基部が、オペレータの足を収容するように実質的に寸法決めされた実質的に平坦な表面を含む、請求項１に記載のフットコントローラ。
【請求項８】
前記基部が前記基部の近位端の領域にヒールレスト領域を含み、前記基部は、オペレータの足が、かかとが前記ヒールレスト領域の近位にあり、つま先の端が実質的に前記ペダル表面上にある状態で前記基部に置かれているときに前記オペレータの足の土踏まずの位置にあるくぼみを前記実質的に平坦な表面内に含む、請求項１に記載のフットコントローラ。
【請求項９】
前記くぼみにより、前記オペレータは、前記オペレータの足の上面を前記くぼみに、及び前記ペダル表面の下に挿入し、前記ペダル表面の底面に上向きの回転式の持ち上げを提供し、前記オペレータの足の底面で前記スイッチを作動させることが可能になる、請求項９に記載のフットコントローラ。
【請求項１０】
前記ペダル表面の底面が、前記オペレータの足のスムーズな進入及び前記ペダル表面の下からの前記オペレータの足の簡単な引き抜きを促すために、丸みを帯びている、請求項１に記載のフットコントローラ。
【請求項１１】
前記一対のサイドサポートのそれぞれが回転ジョイントを介して前記基部と回転可能に結合され、前記回転ジョイントのそれぞれは、前記踏み板の特定の上昇回転位置で前記基部の特徴部と相互作用することにより前記踏み板の前記特定の上昇回転位置を維持するボールプランジャを含む、請求項１に記載のフットコントローラ。
【請求項１２】
基部と
前記基部と回転可能に結合された少なくとも１つのサイドサポートを有する踏み板であって、前記踏み板の遠位端で前記少なくとも１つのサイドサポートと結合されたペダル表面をさらに有し、前記ペダル表面の底面に上向きの回転式の持ち上げを提供するための物体を収容する、踏み板と、
前記基部に対する前記踏み板の角度位置を決定し、前記角度位置を前記ペダル表面の角度位置を表す第１の信号に変換するように構成された制御アセンブリと、
押し下げると追加の信号を発するように構成されたスイッチであって、前記基部の遠位端に配置され、前記ペダル表面によって少なくとも部分的に覆われ、前記基部の前記遠位端から離れる方に前記ペダル表面を上向きに回転式に持ち上げると少なくとも部分的に露出されるスイッチと
を含むフットコントローラ。
【発明の詳細な説明】
【技術分野】
【０００１】
本開示はフットコントローラに関し、より具体的には、レーザースイッチ及び一体化シュラウドを備えた多機能外科手術用フットコントローラに関する。
【背景技術】
【０００２】
眼科手術を実施するときに使用される外科手術用機器などの患者治療装置又は外科手術用システムは、空気圧式及び電子駆動式サブシステム、治療用レーザー、その他など、様々なサブシステムを制御することを必要とし得る。
【０００３】
サブシステムの動作は、マイクロプロセッサ駆動式コンソールによって制御することができる。外科手術用コンソール内のマイクロプロセッサ制御は、患者治療装置内のサブシステムの動作を管理するために、外科手術用システムのオペレータ又はアシスタントのいずれかから機械的入力を受け取る。制御入力デバイスには、コンソール上のスイッチ、リモートハンドスイッチ、リモートフットコントローラ、及びその他の制御入力デバイスが含まれ得る。
【０００４】
いくつかの手技は、自動車のペダルで速度を調整するように、オペレータが可変制御入力、例えば硝子体切除プローブの切断速度を調整することを可能にする足踏み駆動式フットコントローラから利益を得る。これらの足踏み駆動式フットコントローラの場合、機械的入力は、マイクロプロセッサ制御に供給される電気信号に変換されるオペレータの足の動きから発生し得る。他の手技は、治療用レーザーを含む手技など、入力のバイナリ制御を必要とする。また、多くの外科的手技において、あるタイプの手術器具から別のタイプの手術器具に、例えば硝子体切除プローブから治療用レーザープローブに切り替える必要がある。通常、外科手術用コンソール又は器具ごとに異なるフットコントローラが提供される。手術中に複数の手術器具を使用すると、手術環境が制御装置で乱雑になる可能性がある。また、レーザーを制御するために使用されるフットコントローラが偶発的なレーザーの活性化を防ぐためのシュラウドを含むことを要求する外科手術用レーザーの基準が存在する。
【０００５】
足踏み駆動式フットコントローラの機能をレーザーコントローラと一体化する以前の試みは、フットコントローラの基部のかかと領域への可動シュラウドの組み込みを含む。可動シュラウドは、オペレータが足のつま先部分を使用して持ち上げることができ、レーザー放射制御スイッチ用のスイッチにアクセスすることができる。しかしながら、治療用レーザーを使用する手技（例えば、硝子体切除術や汎網膜光凝固術）は非常にデリケートな手技であり、患者の手術結果を最適化するために、不必要な動き及び手術部位からの器具の除去、その後の器具の再導入を回避する必要がある。足踏み駆動式フットコントローラをレーザーコントローラと一体化するこれらの以前の試みでは、外科医は、足の向きを変え、シュラウドを開き、スイッチにアクセスするべくフットスイッチに視線を落とすために手技から焦点を外す必要があり、これは危険な手の動き及び／又は手術部位からの器具の除去につながる可能性がある。
【発明の概要】
【課題を解決するための手段】
【０００６】
本技術の開示された実施形態は、オペレータが機能を直感的に切り替えることを可能にする一体化シュラウドを備えた多機能フットコントローラに関する。
【０００７】
本技術のいくつかの実施形態は、基部と結合された踏み板を備えたフットコントローラを含む。踏み板は、基部と回転可能に結合された一対のサイドサポートを有し、一対のサイドサポートはギャップによって分離されている。フットコントローラは、踏み板のペダル表面を基部に対して標準角度位置に配置し、踏み板を下向きに回転式に押し下げることによってペダル表面にトルクを加えることで圧縮するように構成されたばねアセンブリを含むことができる。フットコントローラはまた、基部に対する踏み板の角度位置を決定し、角度位置をペダル表面の角度位置を表す第１の信号に変換する制御アセンブリを含む。さらに、フットコントローラはコンソールと通信可能に結合されており、信号を使用して、コンソール、コンソールアクセサリ、及び／又はコンソールと組み合わせて使用される別のモジュールを制御することができる。
【０００８】
いくつかの実施形態では、踏み板はまた、踏み板の遠位端で一対のサイドサポートと結合されたペダル表面を有する。一対のサイドサポート間のギャップは、ペダル表面の底面に上向きの回転式の持ち上げを提供するための物体を収容する。フットコントローラはまた、スイッチを押すと追加の信号を発するように構成されたスイッチを含む。フットコントローラは、治療用レーザーモジュールと通信可能に結合されており、追加の信号を使用して、治療用レーザーモジュールからの１つ又は複数のレーザーの放出を制御する。安全上の理由から、治療用レーザーを制御するスイッチは覆われるべきであり、本技術によれば、スイッチは基部の遠位端に配置され、基部に対するペダル表面の標準角度位置でペダル表面によって少なくとも部分的に覆われる。フットコントローラに多機能を提供するために、スイッチは、基部の遠位端から離れる方にペダル表面を上向きに回転式に持ち上げると露出される。場合によっては、ペダル表面を上向きに回転式に持ち上げた後の踏み板の上昇した回転位置は、オペレータがペダル表面の下から足を移動してペダル表面を押し下げるまで（例えば、ボールプランジャ及び戻り止めによって）維持される。
【０００９】
いくつかの実施形態では、ペダル表面の下側は、基部の遠位端に向かってペダル表面を下向きに回転式に押し下げた後、スイッチが少なくとも部分的に収容されるように配置された凹部を含む。場合によっては、スイッチ及びペダル表面は、基部の遠位端に向かってペダル表面を最大限下向きに回転式に押し下げた際にスイッチが作動されないように配置されている。
【００１０】
いくつかの実施形態では、基部は基部の近位端の領域にヒールレスト領域を含み、オペレータの足が、かかとがヒールレスト領域の近位にあり、つま先の端が実質的にペダル表面上にある状態で基部に置かれているときにオペレータの足の土踏まずの位置にあるくぼみを実質的に平坦な表面内に含む。くぼみにより、オペレータは、オペレータの足の上面をくぼみに、及びペダル表面の下に挿入し、ペダル表面の底面に上向きの回転式の持ち上げを提供し、オペレータの足の底面でスイッチを作動させることが可能になる。場合によっては、ペダル表面の底面は、オペレータの足のスムーズな進入及びペダル表面の下からのオペレータの足の簡単な引き抜きを促すために、丸みを帯びている。
【００１１】
本技術、その特徴、及びその利点をより完全に理解するために、添付の図面と併せて、以下の記載を参照する。
【図面の簡単な説明】
【００１２】
【図１】図１は、本技術のいくつかの実施形態による、一体化シュラウドを備えたフットコントローラを示す。
【図２】図２は、スイッチを覆う踏み板の上にオペレータの足が置かれたフットコントローラを示す。
【図３Ａ】図３Ａは、基部に対する踏み板の角度位置を有するフットコントローラの側面破断図を示す。
【図３Ｂ】図３Ｂは、ペダル表面を最大限下向きに回転式に押し下げた後の踏み板が完全に押し下げられた位置にあるフットコントローラの側面破断図を示す。
【図４】図４は、オペレータの足が踏み板のサイドサポート間のギャップ内にあるフットコントローラを示す。
【図５Ａ】図５Ａは、オペレータの足のつま先が踏み板のペダル表面に上向きの回転式の持ち上げを提供しているフットコントローラの側面破断図を示す。
【図５Ｂ】図５Ｂは、オペレータの足がスイッチを選択的に関節運動させることを可能にする持ち上げられた位置にある踏み板を示す。
【図６】図６は、踏み板のペダル表面が持ち上げられた位置にあり、スイッチがオペレータの足によってアクセスされているフットコントローラの図を示す。
【図７Ａ−７Ｂ】図７Ａ−７Ｂは、可能なシステムの実施形態を示している。
【発明を実施するための形態】
【００１３】
以下に記載する技術は、オペレータが機能を容易に切り替えることを可能にする一体化シュラウドを備えた多機能フットコントローラを含む。フットコントローラは、第１の器具を制御するために回転式に押し下げられる踏み板を含むことができ、これは、追加の器具を制御するためのスイッチを少なくとも部分的に覆い、スイッチを露出させるために簡単且つ直感的に持ち上げることができる。
【００１４】
図１は、実質的に平坦な基部１０２と、一対の側壁１０４、１０６と、踏み板１０８とを備えたフットコントローラ１００を示している。踏み板１０８は、結合具１３２、１３４を介して基部１０２と回転可能に結合された一対のサイドサポート１１２、１１４を含む。踏み板１０８はまた、踏み板１０８の遠位端にペダル表面１１０を含む。フットコントローラの基部１０２は、ヒールレスト領域１１６を含む。さらに、基部１０２は、オペレータのかかとがヒールレスト領域１１６上又はその近くに配置されたときに、ペダル表面１１０上にオペレータの足の母指球／つま先を配置する一般的なサイズ及び形状を有する。
【００１５】
踏み板１０８と基部１０２との回転結合により、オペレータは、オペレータの足の下向きの関節運動によりペダル表面１１０を回転式に押し下げることができる。フットコントローラ１００はまた、基部１０２に対する踏み板１０８の角度位置を決定し、角度位置を信号に変換する制御アセンブリ（図示せず）を含む。フットコントローラ１００は、コンソールと通信可能に結合することができ、信号を使用して、コンソール、コンソールアクセサリ、及び／又はコンソールと組み合わせて使用される別のモジュールを制御することができる。例えば、フットコントローラ１００は、眼科手術コンソールと結合することができ、制御アセンブリからの信号を使用して、眼科手術器具、例えば、硝子体切除プローブ、水晶体超音波乳化吸引術ハンドピース、ディスプレイ設定、その他を制御することができる。
【００１６】
場合によっては、制御アセンブリは、位置センサ（図示せず）を含む。位置センサは、直接又は歯車などの中間機械的結合具を介して、結合具１３２、１３４の一方又は両方を介して踏み板１０８に回転結合することができる。歯車を使用する場合、よく知られているように、それぞれの歯車の歯数の比率に応じて、回転運動を機械的に増幅又は減衰させることが可能である。位置センサは、多くの可能な周知のメカニズム、例えば光学式エンコーダの使用、又はポテンショメータの使用を介して機能し得る。
【００１７】
図１にさらに示されるように、一対のサイドサポート１１２、１１４はギャップ１１８によって分離され、ギャップ１１８は、オペレータがギャップ１１８内で足を動かし、ペダル表面１１０の底面をオペレータの足の上部とインターフェースできるように配置される。基部１０２はまた、オペレータの足がペダル表面１１０の下でより容易に動くことを可能にするくぼみ１２０を含むことができる。いくつかの実施形態では、ペダル表面１１０の底面は、滑らかな出入りを可能にするために丸みを帯びている。
【００１８】
踏み板１０８と基部１０２との回転結合はまた、オペレータの足をペダル表面１１０の下に動かした後、ペダル表面１１０の底面でのオペレータの足の上方への関節運動により、オペレータがペダル表面１１０を回転式に持ち上げることを可能にする。
【００１９】
フットコントローラ１００はまた、実質的にペダル表面１１０の下で基部１０２の遠位端又はその近くに配置されたスイッチ１３０を含む。押されると、スイッチ１３０は、コンソール、コンソールアクセサリ、及び／又はコンソールと組み合わせて使用される別のモジュールを制御するための追加の信号を発する。例えば、フットコントローラ１００は、一体化されたレーザーモジュールを備えた眼科手術コンソール又はスタンドアロン型レーザーモジュールと組み合わせて使用される眼科手術コンソールと結合することができ、スイッチ１３０からの信号を使用して、レーザーモジュールの１つ又は複数のレーザー機能を制御することができる。
【００２０】
踏み板１０８のペダル表面１１０は、スイッチ１３０のシュラウドとして機能する。言い換えれば、基部１０２上の踏み板１０８の配置及びスイッチ１３０の配置は、踏み板１０８を下向きに回転式に押し下げた際−踏み板１０８を最大限下向きに回転式に押し下げた後であっても−スイッチ１３０がペダル表面１１０によって作動されることを回避する。場合によっては、踏み板１０８を最大限下向きに回転式に押し下げることが踏み板を基部１０２に対してほぼ０°〜５°の間に配置するようにフットコントローラ１００は配置される。
【００２１】
さらに、スイッチ１３０は、踏み板１０８のペダル表面１１０を上向きに回転式に持ち上げると少なくとも部分的に露出され得る。さらに、スイッチ１０８は、ペダル表面１１０の標準角度位置及びペダル表面１１０の押し下げられた角度位置の範囲において、ペダル表面１１０によって少なくとも部分的に覆われるか、又は完全に覆われる。いくつかの実施形態では、ペダル表面１１０の底面は、以下により詳細に示されるように、踏み板１０８を下向きに回転式に押し下げた後にスイッチ１３０の上部を収容する凹部を有する。
【００２２】
フットコントローラ１００はまた、ペダル表面１１０を上向きに回転式に持ち上げた後に踏み板１０８の上昇した回転位置を維持し、スイッチ１３０を少なくとも部分的に露出させておくための１つ又は複数の機構（図示せず）を含むことができる。例えば、結合具１３２、１３４は回転ジョイントであることができ、踏み板１０８の特定の上昇した回転位置で基部の特徴部と係合するボールプランジャを含むことができる。
【００２３】
場合によっては、踏み板１０８は、踏み板が全体的にＬ字形を有するように、ペダル表面１１０に結合された、側壁１０４、１０６の１つに実質的に隣接して配置された単一のサイドサポートを含む。この構成では、オペレータはペダル表面を下向きに押して踏み板１０８の回転押し下げを達成することができる。また、この配置では、中空コーナーが２サポート構成のギャップ１１８に取って代わり、オペレータは中空コーナー内で足を動かして、ペダル表面１１０の底面をオペレータの足の上部とインターフェースさせて、ペダル表面１１０を回転式に持ち上げることができる。
【００２４】
場合によっては、フットコントローラ１００はまた、基部１０２及び踏み板１０８に結合されたばねアセンブリ（図示せず）を含む。ばねアセンブリは、踏み板１０８のペダル表面１１０を基部１０２に対して標準角度位置で配置するように配置することができる。例えば、標準角度位置は、基部１０２に対して約９°〜１４°の範囲で選択することができる。上記のように、ペダル表面１１０の標準角度位置は、スイッチ１３０を少なくとも部分的に覆う、又は完全に覆う。さらに、ばねアセンブリは、踏み板１０８を下向きに回転式に押し下げることによってペダル表面１１０にトルクを加えることで圧縮することができる。
【００２５】
図１に示すように、フットコントローラ１００はまた、基部１０２の近位端にヒールボタン１２２、１２４、及び基部１０２の遠位端につま先ボタン１２６、１２８を含む。ヒールボタン１２２、１２４及びつま先ボタン１２６、１２８は、コンソール、コンソールモジュール、及び／又はフットコントローラ１００及び／又はコンソールと通信可能に結合されたスタンドアロン型モジュールの多種多様な機能を制御するための信号を生成するために使用され得る。例えば、人体への治療用レーザーの使用に関する安全上の懸念のために、治療用レーザーを使用する前にレーザーロックアウトオーバーライド信号を要求することができ、ヒールボタン１２２、１２４のうちの１つ又は複数を使用して、オーバーライド信号を生成することができる。１つ又は複数のボタンの押下、コンソールによって認識される音声ジェスチャ、その他を含む、様々な代替コントロールを使用して、ロックアウトメカニズムを無効にすることもできる。
【００２６】
図２〜６は、本技術のいくつかの実施形態によるフットコントローラ２００を示している。図２では、オペレータの足２５０は、フットコントローラ２００の基部２０２上に配置され、ここでオペレータの足２５０のかかとはヒールレスト領域（ラベル表示なし）にあり、オペレータの足２５０の土踏まずは、実質的に基部２０２のくぼみ２２０の上にあり、オペレータの足２５０のつま先は踏み板２０８のペダル表面２１０上にある。
【００２７】
この構成では、オペレータは、オペレータの足２５０の下向きの関節運動によりペダル表面２１０を回転式に押し下げることができる。フットコントローラ２００はまた、基部２０２に対する踏み板２０８の角度位置を決定し、角度位置を、例えばフットコントローラ２００と通信可能に結合されたコンソールと結合された眼科手術器具を制御するための信号に変換する制御アセンブリ（図示せず）を含む。図２に示されるように、ペダル表面２１０の下で基部２０２上に配置されたスイッチ（ラベル表示なし）は、ペダル表面２１０によって少なくとも部分的に覆われている。
【００２８】
図３Ａ〜３Ｂは、フットコントローラ２００の側面破断図を示す。図３Ａでは、踏み板２０８は、オペレータの足２５０によるペダル表面２１０の回転押し下げの適用前の、基部２０２に対して標準角度位置にある。場合によっては、踏み板２０８の標準角度位置は、ばねアセンブリ（図示せず）によって維持することができ、ばねアセンブリは踏み板２０８の回転押し下げに対する抵抗も提供する。
【００２９】
同じく図３Ａに示されるように、ペダル表面２１０の下で基部２０２上に配置されたスイッチ２３０は、踏み板２０８が標準角度位置にあるとき、ペダル表面２１０によって少なくとも部分的に覆われる。さらに、ペダル表面２１０の底面は、凹部２５５を含む。
【００３０】
図３Ｂは、オペレータの足２５０によってペダル表面２１０を最大限下向きに回転式に押し下げた後の完全に押し下げられた位置にある踏み板２０８を示す。示されるように、フットコントローラ２００の基部２０２上のスイッチ２３０と凹部２５５の配置により、スイッチ２３０はペダル表面２１０を最大限下向きに回転式に押し下げた後でも関節運動されない。
【００３１】
図４は、踏み板２０８のサイドサポート（ラベル表示なし）間のギャップ（ラベル表示なし）内にオペレータの足２５０が移動した状態のフットコントローラ２００を示している。オペレータの足２５０のつま先は、基部２０２のくぼみ（ラベル表示なし）及び踏み板２０８のペダル表面２１０の底面の下に配置されている。
【００３２】
図５Ａ〜５Ｂは、フットコントローラ２００の側面破断図を示す。図５Ａに示されるように、オペレータの足２５０のつま先は、踏み板２０８のペダル表面２１０に（矢印で示される）上向きの回転式の持ち上げを提供し、それによってスイッチ２３０を露出させることができる。図５Ｂは、オペレータの足２５０がスイッチ２３０を選択的に関節運動させることを可能にする持ち上げ位置にある踏み板２０８を示している。場合によっては、ペダル表面２１０を上向きに回転式に持ち上げた後の踏み板２０８の上昇した回転位置は、オペレータが足をペダル表面２１０の下から移動し、ペダル表面２１０を押し下げるまで（例えば、ボールプランジャを外すために）、維持することができる（例えば、踏み板２０８のサイドサポートの結合機構内の１つ又は複数のボールプランジャによって）。
【００３３】
図６は、踏み板２０８のペダル表面２１０が持ち上げられ、スイッチ（図示せず）がオペレータの足２５０によってアクセスされた後のフットコントローラ２００の別の図を示す。
【００３４】
図７Ａは、システムの構成要素がバス７０５を使用して互いに電気的に通信している従来のシステムバスコンピューティングシステムアーキテクチャ７００を示している。例示的なシステム７００は、処理ユニット（ＣＰＵ又はプロセッサ）７１０と、読み取り専用メモリ（ＲＯＭ）７２０及びランダムアクセスメモリ（ＲＡＭ）７２５などのシステムメモリ７１５を含む様々なシステム構成要素をプロセッサ７１０に結合するシステムバス７０５とを含む。システム７００は、プロセッサ７１０の一部と直接接続されるか、それに近接するか、又はそれとして一体化された高速メモリのキャッシュを含むことができる。システム７００は、プロセッサ７１０による迅速なアクセスのために、メモリ７１５及び／又はストレージデバイス７３０からキャッシュ７１２にデータをコピーすることができる。このようにして、キャッシュは、パフォーマンスブーストを提供することができ、これによりデータを待機している間のプロセッサ７１０の遅延が回避される。これら及び他のモジュールは、様々なアクションを実行するようにプロセッサ７１０を制御するか、又は制御するように構成することができる。他のシステムメモリ７１５も同様に使用可能であり得る。メモリ７１５は、異なるパフォーマンス特性を有する複数の異なるタイプのメモリを含むことができる。プロセッサ７１０は、任意の汎用プロセッサと、プロセッサ７１０及びソフトウェア命令が実際のプロセッサ設計に組み込まれている専用プロセッサを制御するように構成された、ストレージデバイス７３０に格納されたモジュール１  ７３２、モジュール２  ７３４、及びモジュール３  ７３６などのハードウェアモジュール又はソフトウェアモジュールとを含むことができる。プロセッサ７１０は、本質的に、複数のコア又はプロセッサ、バス、メモリコントローラ、キャッシュ、その他を含む完全に自己完結型のコンピューティングシステムであり得る。マルチコアプロセッサは、対称的又は非対称的であり得る。
【００３５】
コンピューティングデバイス７００とのユーザ相互作用を可能にするために、入力デバイス７４５は、スピーチ用のマイクロフォン、ジェスチャ又はグラフィック入力用のタッチセンシティブスクリーン、キーボード、マウス、モーション入力、スピーチ、その他など、任意の数の入力メカニズムを表すことができる。出力デバイス７３５はまた、当業者に知られているいくつかの出力機構のうちの１つ又は複数であり得る。場合によっては、マルチモーダルシステムは、ユーザがコンピューティングデバイス７００と通信するための複数のタイプの入力を提供することを可能にすることができる。通信インターフェース７４０は、一般に、ユーザ入力及びシステム出力を制御及び管理することができる。いかなる特定のハードウェア構成においても操作に制限はなく、したがって、ここでの基本的な特徴は、改善されたハードウェア又はファームウェア構成が開発されるときにそれらに簡単に代替することができる。
【００３６】
ストレージデバイス７３０は不揮発性メモリであり、ハードディスクであり得るか、又は、磁気カセット、フラッシュメモリカード、ソリッドステートメモリデバイス、デジタル多用途ディスク、カートリッジ、ランダムアクセスメモリ（ＲＡＭ）７２５、読み取り専用メモリ（ＲＯＭ）７２０、及びそれらのハイブリッドなど、コンピュータによってアクセス可能なデータを格納することができる他のタイプのコンピュータ可読媒体であり得る。
【００３７】
ストレージデバイス７３０は、プロセッサ７１０を制御するためのソフトウェアモジュール７３２、７３４、７３６を含むことができる。他のハードウェア又はソフトウェアモジュールが企図される。ストレージデバイス７３０は、システムバス７０５に接続することができる。一態様では、特定の機能を実行するハードウェアモジュールは、その機能を実行するために、プロセッサ７１０、バス７０５、ディスプレイ７３５、その他など、必要なハードウェア構成要素に関連してコンピュータ可読媒体に格納されたソフトウェア構成要素を含むことができる。
【００３８】
図７Ｂは、記載された方法を実行し、グラフィカルユーザインターフェース（ＧＵＩ）を生成及び表示する際に使用することができるチップセットアーキテクチャを有するコンピュータシステム７５０を示す。コンピュータシステム７５０は、開示された技術を実施するために使用することができるコンピュータハードウェア、ソフトウェア、及びファームウェアの一例である。システム７５０は、識別された計算を実行するように構成されたソフトウェア、ファームウェア、及びハードウェアを実行することができる任意の数の物理的及び／又は論理的に異なるリソースを表すプロセッサ７５５を含むことができる。プロセッサ７５５は、プロセッサ７５５への入力及びプロセッサ７５５からの出力を制御できるチップセット７６０と通信することができる。この例では、チップセット７６０は、ディスプレイなどの出力７６５に情報を出力し、例えば磁気メディア及びソリッドステートメディアを含み得るストレージデバイス７７０との間で情報を読み書きすることができる。チップセット７６０はまた、ＲＡＭ７７５との間でデータを読み書きすることができる。チップセット７６０とインターフェースするために、様々なユーザインターフェース構成要素７８５とインターフェースするためのブリッジ７８０を提供することができる。そのようなユーザインターフェース構成要素７８５は、キーボード、マイク、タッチ検出及び処理回路、マウスなどのポインティングデバイス、その他を含むことができる。一般に、システム７５０への入力は、機械生成及び／又は人間生成される様々なソースのいずれかに由来することができる。
【００３９】
チップセット７６０はまた、異なる物理的インターフェースを有することができる１つ又は複数の通信インターフェース７９０とインターフェースすることができる。そのような通信インターフェースは、有線及び無線ローカルエリアネットワーク、ブロードバンド無線ネットワーク、並びにパーソナルエリアネットワークのためのインターフェースを含むことができる。本明細書に開示されるＧＵＩを生成、表示、及び使用するための方法のいくつかのアプリケーションは、物理的インターフェースを介して、順序付けられたデータセットを受信することを含むことができる、又は、ストレージ７７０又は７７５に格納されたデータを分析するプロセッサ７５５によって機械自体によって生成されることができる。さらに、機械は、ユーザインターフェース構成要素７８５を介してユーザからの入力を受け取り、プロセッサ７５５を使用してこれらの入力を解釈することによってブラウジング機能などの適切な機能を実行することができる。
【００４０】
例示的なシステム７００及び７５０は、複数のプロセッサ７１０を有することができるか、又はより大きな処理能力を提供するために一緒にネットワーク化されたコンピューティングデバイスのグループ又はクラスタの一部であり得ることが理解され得る。
【００４１】
説明を明確にするために、いくつかの例では、本技術は、ソフトウェア、又はハードウェアとソフトウェアの組み合わせにおいて具体化される方法においてデバイス、デバイス構成要素、ステップ又はルーチンを含む機能ブロックを含む個々の機能ブロックを含むものとして提示され得る。
【００４２】
いくつかの実施形態では、コンピュータ可読ストレージデバイス、媒体、及びメモリは、ビットストリーム等を含むケーブル又は無線信号を含むことができる。しかしながら、言及される場合、非一時的なコンピュータ可読ストレージ媒体は、エネルギー、搬送波信号、電磁波、及び信号自体などの媒体を明示的に除外する。
【００４３】
上記の例による方法は、格納されているか、又は別の方法でコンピュータ可読媒体から利用可能であるコンピュータ実行可能命令を使用して実施することができる。そのような命令は、例えば、特定の機能又は機能群を実行するために、汎用コンピュータ、専用コンピュータ、又は専用処理デバイスを引き起こすか、又は別の方法で構成する命令及びデータを含むことができる。使用されるコンピュータリソースの一部は、ネットワーク経由でアクセスすることができる。コンピュータ実行可能命令は、例えば、バイナリ、アセンブリ言語などの中間フォーマット命令、ファームウェア、又はソースコードであり得る。命令、使用される情報、及び／又は記載された例による方法中に生成された情報を格納するために使用できるコンピュータ可読媒体の例には、磁気又は光学ディスク、フラッシュメモリ、不揮発性メモリを備えたＵＳＢデバイス、ネットワーク化ストレージデバイスなどが含まれる。
【００４４】
これらの開示による方法を実施するデバイスは、ハードウェア、ファームウェア、及び／又はソフトウェアを含むことができ、様々なフォームファクタのいずれかを取ることができる。このようなフォームファクタの典型的な例には、ラップトップ、スマートフォン、スモールフォームファクタのパーソナルコンピュータ、携帯情報端末などが含まれる。本明細書に記載されている機能は、周辺機器又はアドインカードで具体化することもできる。このような機能は、さらなる例として、単一のデバイスで実行される異なるチップ又は異なるプロセス間の回路基板上に実装することもできる。
【００４５】
命令、そのような命令を伝達するための媒体、それらを実行するためのコンピューティングリソース、及びそのようなコンピューティングリソースを支援するための他の構造は、これらの開示に記載された機能を提供するための手段である。
【００４６】
上で開示された主題は、例示的であり、限定的ではないと見なされるべきであり、添付の特許請求の範囲は、本開示の真の趣旨及び範囲内にあるそのようなすべての修正、機能強化、及び他の実施形態をカバーすることを意図する。したがって、法律で認められる最大限の範囲で、本開示の範囲は、以下の特許請求の範囲及びそれらの均等物の最も広い許容可能な解釈によって決定されるべきであり、前述の詳細な記載によって制限及び限定されないものとする。
【図１】
2021533850.tif 000003
【図２】
2021533850.tif 000004
【図３Ａ】
2021533850.tif 000005
【図３Ｂ】
2021533850.tif 000006
【図４】
2021533850.tif 000007
【図５Ａ】
2021533850.tif 000008
【図５Ｂ】
2021533850.tif 000009
【図６】
2021533850.tif 000010
【図７Ａ−７Ｂ】
2021533850.tif 000011
【国際調査報告】
2021533850.tif 000012
2021533850.tif 000013
2021533850.tif 000014
2021533850.tif 000015